(57)【要約】      （修正有）【課題】燃焼器組立体リフトシステム、およびそれを用いて燃焼器組立体を設置および除去する方法を提供する。【解決手段】燃焼器組立体リフトシステム２００は、第２の部分に接続された第１の部分を備えたリフトアーム２２０と、このリフトアームに接続された燃焼器組立体係合フレーム２４０とを備え、燃焼器組立体係合フレームは、燃焼器組立体２０の少なくとも一部に一時的に固定されるように構成される。また、ターボ機械に燃焼器組立体を設置する方法が開示される。方法は、燃焼器組立体の近くに燃焼器組立体リフトシステムを配設するステップを含む。【選択図】図５
2017106447.tif 000002
【特許請求の範囲】
【請求項１】
第２の部分（２２４）に接続された第１の部分（２２２）を備えたリフトアーム（２２０）と、
前記リフトアーム（２２０）に接続された燃焼器組立体係合フレーム（２４０）と
を備えた燃焼器組立体リフトシステム（２００）であって、
前記燃焼器組立体係合フレーム（２４０）は、燃焼器組立体（２０）の少なくとも一部に一時的に固定されるように構成される燃焼器組立体リフトシステム（２００）。
【請求項２】
前記リフトアーム（２２０）の前記第１の部分（２２２）は、前記リフトアーム（２２０）の前記第２の部分（２２４）に回転可能に接続される、請求項１記載の燃焼器組立体リフトシステム（２００）。
【請求項３】
前記燃焼器組立体係合フレーム（２４０）は前記リフトアーム（２２０）に回転可能に接続される、請求項１記載の燃焼器組立体リフトシステム（２００）。
【請求項４】
前記リフトアーム（２２０）の前記第１の部分（２２２）は前記リフトアーム（２２０）の前記第２の部分（２２４）に回転可能に接続されており、前記燃焼器組立体係合フレーム（２４０）は前記リフトアーム（２２０）に回転可能に接続され、前記リフトアーム（２２０）の前記第１の部分（２２２）、前記リフトアーム（２２０）の前記第２の部分（２２４）、および前記燃焼器組立体係合フレーム（２４０）が垂直の構成と蛇行した構成の間で移行できるようになっている、請求項１記載の燃焼器組立体リフトシステム（２００）。
【請求項５】
前記リフトアーム（２２０）の前記第２の部分（２２４）は、前記リフトアーム（２２０）の前記第１の部分（２２２）に接続された第１の端部と、前記リフトアーム（２２０）の前記第１の部分（２２２）の遠位にある第２の端部とを備え、前記燃焼器組立体係合フレーム（２４０）は、前記リフトアーム（２２０）の前記第２の部分（２２４）の前記第２の端部に接続される、請求項１記載の燃焼器組立体リフトシステム（２００）。
【請求項６】
前記リフトアーム（２２０）の前記第２の部分（２２４）は、前記リフトアーム（２２０）の前記第１の部分（２２２）よりも長い、請求項５記載の燃焼器組立体リフトシステム（２００）。
【請求項７】
前記リフトアーム（２２０）の前記第２の部分（２２４）の前記第２の端部は、少なくとも１つの下側ピック箇所（２２５）を備える、請求項５記載の燃焼器組立体リフトシステム（２００）。
【請求項８】
前記リフトアーム（２２０）は、前記第２の部分（２２４）に接続された第３の部分をさらに備える、請求項１記載の燃焼器組立体リフトシステム（２００）。
【請求項９】
前記燃焼器組立体係合フレーム（２４０）は、前記リフトアーム（２２０）の前記第３の部分に接続される、請求項８記載の燃焼器組立体リフトシステム（２００）。
【請求項１０】
前記第２の部分（２２４）と前記第３の部分の両方は、前記第１の部分（２２２）に接続される、請求項８記載の燃焼器組立体リフトシステム（２００）。
【請求項１１】
前記第２の部分（２２４）と前記第３の部分の両方は、前記第１の部分（２２２）の単一の端部に接続される、請求項１０記載の燃焼器組立体リフトシステム（２００）。
【請求項１２】
前記リフトアーム（２２０）の前記第１の部分（２２２）は、少なくとも１つの上側ピック箇所（２２３）を備える、請求項１記載の燃焼器組立体リフトシステム（２００）。
【請求項１３】
前記リフトアーム（２２０）の前記第２の部分（２２４）は、少なくとも１つの下側ピック箇所（２２５）を備える、請求項１２記載の燃焼器組立体リフトシステム（２００）。
【請求項１４】
前記燃焼器組立体（２０）は、燃焼カン（１２５）と、前記燃焼カン（１２５）に接続された流れスリーブまたは燃焼ライナ（３０）の少なくとも１つとを備えた単体の燃焼器組立体（２０）を備える、請求項１記載の燃焼器組立体リフトシステム（２００）。
【請求項１５】
前記燃焼器組立体（２０）は燃焼カン（１２５）である、請求項１記載の燃焼器組立体リフトシステム（２００）。
【請求項１６】
ターボ機械（１００）に燃焼器組立体（２０）を設置する方法（３００）において、
前記燃焼器組立体（２０）の近くに燃焼器組立体リフトシステム（２００）を配設するステップであって、前記燃焼器組立体リフトシステム（２００）は、
第２の部分（２２４）に接続された第１の部分（２２２）を備えたリフトアーム（２２０）と、
前記リフトアーム（２２０）に接続された燃焼器組立体係合フレーム（２４０）と
を備え、前記燃焼器組立体係合フレーム（２４０）は、燃焼器組立体（２０）の少なくとも一部に一時的に固定されるように構成される、配設するステップと、
前記燃焼器組立体係合フレーム（２４０）を前記ターボ機械（１００）へ一時的に固定するステップと、
前記燃焼器組立体（２０）を前記ターボ機械（１００）と位置合わせし固定するステップと、
前記燃焼器組立体（２０）を前記燃焼器組立体係合フレーム（２４０）から外すステップと
を含む方法。
【請求項１７】
前記燃焼器組立体（２０）の近くに前記燃焼器組立体リフトシステム（２００）を配設するステップは、前記燃焼器組立体（２０）が輸送用容器内に配設されている間に、前記燃焼器組立体（２０）の上で垂直な位置合わせで前記燃焼器組立体リフトシステム（２００）を配設するステップを含む、請求項１６記載の方法。
【請求項１８】
ターボ機械（１００）から燃焼器組立体（２０）を除去する方法（４００）において、
前記燃焼器組立体（２０）の近くに燃焼器組立体リフトシステム（２００）を配設するステップであって、前記燃焼器組立体リフトシステム（２００）は、
第２の部分（２２４）に接続された第１の部分（２２２）を備えたリフトアーム（２２０）と、
前記リフトアーム（２２０）に接続された燃焼器組立体係合フレーム（２４０）と
を備え、前記燃焼器組立体係合フレーム（２４０）は、燃焼器組立体（２０）の少なくとも一部に一時的に固定されるように構成される、配設するステップと、
前記燃焼器組立体係合フレーム（２４０）を前記燃焼器組立体（２０）へ一時的に固定するステップと、
前記燃焼器組立体（２０）を前記ターボ機械（１００）から外し、前記リフトアーム（２２０）への１つまたは複数の接続を介して前記ターボ機械（１００）から離れるように前記燃焼器組立体リフトシステム（２００）を移動させるステップと
を含む方法。
【請求項１９】
前記燃焼器組立体（２０）は、まだ前記燃焼器組立体係合フレーム（２４０）に一時的に固定されている間に、前記燃焼器組立体リフトシステム（２００）をほぼ垂直向きへ移行させるステップをさらに含む、請求項１８記載の方法。
【請求項２０】
前記燃焼器組立体（２０）を輸送用容器の中に下げ、前記燃焼器組立体（２０）を前記燃焼器組立体係合フレーム（２４０）から外すステップをさらに含む、請求項１９記載の方法。
【発明の詳細な説明】
【技術分野】
【０００１】
本明細書に開示される主題は、燃焼器組立体に関し、より具体的には、ガスタービンに対して燃焼器組立体を設置および除去する機器および方法に関する。
【背景技術】
【０００２】
ガスタービンは、圧縮機セクションと、燃焼セクションと、タービンセクションとを含み得る。圧縮機セクションは、タービンに流れ込む空気を加圧する。圧縮機セクションから吐出された加圧空気は、複数の燃焼器によって一般に特徴付けられる燃焼セクションに流れ込む。複数の燃焼器の各々は、燃焼器の燃焼室を画定する燃焼ライナを備える。したがって、各燃焼器に入る空気は、燃焼ライナ内で燃料と混合され燃焼される。高温の燃焼ガスは、燃焼ライナからトランジションピースを通じてガスタービンのタービンセクションへ流れてタービンを駆動し発電する。
【０００３】
より具体的には、ガスタービン燃焼器は、大量の燃料と圧縮空気を混合し、結果として得られた混合気を燃やす。産業用ガスタービン用の燃焼器は、環状アレイの円筒形燃焼「カン」を備えることができ、その中で空気と燃料を混合して燃焼が起こる。軸流圧縮機からの圧縮空気は、燃焼器に流れ込む。燃料は各カン内に延びる燃料ノズル組立体を通じて噴射される。燃料と空気の混合気は各カンの燃焼室内で燃える。燃焼ガスは、各カンからタービンへ通じているダクトの中に吐出される。
【０００４】
いくつかの実施形態では、低エミッション用に設計された燃焼器組立体は、予混合チャンバおよび燃焼室を備え得る。各燃焼器組立体における燃料ノズル組立体は、カンのチャンバの中に燃料と空気を噴射する。ノズル組立体からの燃料の一部は、カンの予混合チャンバの中に吐出され、そこで、空気が燃料に追加され燃料と予混合される。予混合チャンバ内で空気と燃料を予混合することによって、各カンの燃焼チャンバ内での急速で効率的な燃焼および燃焼による低エミッションを促進する。空気と燃料の混合気は、予混合チャンバから燃焼室へ下流に流れ、この燃焼室は燃焼を支え、いくつかの条件下で燃料ノズル組立体の前部から吐出される追加の燃料を受け取る。この追加の燃料は、低出力運転のための火炎を安定させる手段を与え、高出力状態時には完全に遮断することができる。
【０００５】
燃焼器組立体は、ガスタービンの初期建造中に設置される必要があり、続いて、その後の保守活動中に除去することができる。しかしながら、燃焼器組立体を設置、除去、または再設置するために、かなりの量の力が、燃焼器組立体に関して燃焼器組立体を適切に持ち上げ、配置し、および／または位置合わせすることが必要とされ得る。したがって、ガスタービンに対して燃焼器組立体を設置および除去する代替の機器および方法は当業界で歓迎される。
【先行技術文献】
【特許文献】
【０００６】
【特許文献１】米国特許第８６４０３４０号明細書
【発明の概要】
【０００７】
一実施形態では、燃焼器組立体リフトシステムは、第２の部分に接続された第１の部分を備えたリフトアームと、リフトアームに接続された燃焼器組立体係合フレームとを備え、燃焼器組立体係合フレームは、燃焼器組立体の少なくとも一部に一時的に固定されるように構成される。
【０００８】
別の実施形態では、ターボ機械に燃焼器組立体を設置する方法が開示される。方法は、燃焼器組立体の近くに燃焼器組立体リフトシステムを配設するステップを含む。燃焼器組立体リフトシステムは、第２の部分に接続された第１の部分を備えたリフトアームと、リフトアームに接続された燃焼器組立体係合フレームとを備え、燃焼器組立体係合フレームは、燃焼器組立体の少なくとも一部に一時的に固定されるように構成される。この方法は、燃焼器組立体係合フレームをターボ機械へ一時的に固定するステップと、燃焼器組立体をターボ機械と位置合わせし固定するステップと、燃焼器組立体を燃焼器組立体係合フレームから外すステップとをさらに含む。
【０００９】
さらに別の実施形態では、ターボ機械から燃焼器組立体を除去する方法が開示される。この方法は、燃焼器組立体の近くに燃焼器組立体リフトシステムを配設するステップを含む。燃焼器組立体リフトシステムは、第２の部分に接続された第１の部分を備えたリフトアームと、リフトアームに接続された燃焼器組立体係合フレームとを含み、燃焼器組立体係合フレームは、燃焼器組立体の少なくとも一部に一時的に固定されるように構成される。この方法は、燃焼器組立体係合フレームを燃焼器組立体へ一時的に固定するステップと、燃焼器組立体をターボ機械から外し、リフトアームへの１つまたは複数の接続を介してターボ機械から離れるように燃焼器組立体リフトシステムを移動させるステップとをさらに含む。
【００１０】
本明細書に述べられた実施形態により与えられるこれらおよびさらなる特徴は、図面と併せて以下の詳細な説明に鑑みてより十分に理解されよう。
【００１１】
図面に記載した実施形態は、本質的に図示的かつ例示的であり、特許請求の範囲により定められる本発明を限定するものではない。例示的な実施形態の以下の詳細な説明は、以下の図面と併せて読むと理解することができる。ここで、同じ構造は、同様の参照符号で示される。
【図面の簡単な説明】
【００１２】
【図１】本明細書中に図示または説明された１つまたは複数の実施形態によるターボ機械の側面図である。
【図２】本明細書中に図示または説明された１つまたは複数の実施形態による燃焼システムの側面図である。
【図３】本明細書中に図示または説明された１つまたは複数の実施形態による燃焼器組立体の断面側面図である。
【図４】本明細書中に図示または説明された１つまたは複数の実施形態による燃焼器組立体リフトシステムの斜視図である。
【図５】本明細書中に図示または説明された１つまたは複数の実施形態による異なる向きの図４に示された燃焼器組立体リフトシステムの斜視図である。
【図６】本明細書中に図示または説明された１つまたは複数の実施形態による燃焼器組立体を設置する方法の流れ図である。
【図７】本明細書中に図示または説明された１つまたは複数の実施形態による燃焼器組立体を除去する方法の流れ図である。
【発明を実施するための形態】
【００１３】
本発明の１つまたは複数の特定の態様／実施形態を以下に説明する。これらの実施形態の簡潔な説明を行うために、実際の実施の全ての特徴が、本明細書中に記載されていない可能性がある。あらゆるエンジニアリングまたは設計プロジェクトにあるような何らかのそのような実際の実施の開発では、システム関連の制約およびビジネス関連の制約の尊守など開発者の特定の目標を実現するために実施に特有の多数の決定がなされなければならず、これは実施により異なり得ることを理解されたい。さらに、そのような開発努力は、複雑で時間がかかり得るが、それにもかかわらず本開示の利益を有する当業者にとって設計、製作、および製造に関する日常的な作業であることを理解されたい。
【００１４】
本発明の様々な実施形態の要素を導入するとき、冠詞「ａ」、「ａｎ」、「ｔｈｅ」、および「ｓａｉｄ」は、要素が１つまたは複数があることを意味することが意図される。用語「備える、含む（ｃｏｍｐｒｉｓｉｎｇ）」、「含む、備える（ｉｎｃｌｕｄｉｎｇ）」、および「有する（ｈａｖｉｎｇ）」は、包括的であり、挙げた要素以外の追加の要素があり得ることを意味することが意図される。
【００１５】
次に、図１を参照するが、ガスタービン、航空機転用型等などのいくつかのターボ機械は、燃焼プロセス中に燃料と空気の混合気を燃やしてエネルギーを発生させる。図１は、ターボ機械１００の一例を示す。概して、ターボ機械１００は、圧縮機ケーシング１１０内に収容された圧縮機に向かって気流を向ける入口プレナム１０５を備える。気流は、圧縮され、次いで、燃焼システム１１５へ吐出され、そこで天然ガスなどの燃料は燃やされて高エネルギー燃焼ガスを与える、これによってタービンセクション１２０を駆動する。タービンセクション１２０において、高温ガスのエネルギーは仕事に変換され、仕事の一部が圧縮機を駆動するために使用され、残りのエネルギーは、発電機、機械式駆動装置等など（そのどれも図示されていない）の負荷を駆動するのに役立つ仕事に利用可能である。
【００１６】
次にさらに図２を参照すると、燃焼システム１１５の実施形態は、少なくとも１つの燃焼器組立体２０を備えることができる。図２に示されるような一部のターボ機械１００は、中心軸Ａを中心にして環状アレイに配設された複数の燃焼器組立体２０を備えることができる。一般に、各燃焼器組立体２０内で、前述の燃焼プロセスが行われる。いくつかの実施形態では、燃焼器組立体２０は、燃焼器組立体２０の一部において燃える火炎を監視するための火炎検出システムなどの１つまたは複数の補助システム１３０を備えることができる。そのような火炎検出システムは火炎検出器の形態とすることができ、その一部は燃焼器組立体２０内に挿入され得る。さらなるまたは代替の補助システム１３０が、燃焼器組立体プロセスの１つまたは複数を監視、制御、および／または影響を及ぼすために、燃焼器組立体２０に同様に組み込まれてもよい。
【００１７】
さらに図３を参照すると、ターボ機械１００の燃焼器組立体２０に係る実施形態の断面側面図が示されている。概して、燃焼器組立体２０は、少なくとも燃焼カン１２５と、圧縮機吐出ケーシングまたは燃焼ラッパケーシングなどのガスタービンケーシング２４の一部に固定された潜在的にほぼ円筒形の燃焼ケーシング２２とを備えることができる。図示の通り、フランジ２６は、燃焼ケーシング２２の上流端から外側に延びることができる。概して、フランジ２６は、燃焼器組立体２０のエンドカバー組立体が燃焼ケーシング２２に固定することができるように構成することができる。例えば、フランジ２６は、エンドカバー組立体を燃焼ケーシング２２に取り付けるための複数のフランジ穴７２を定めることができる。
【００１８】
いくつかの実施形態では、燃焼器組立体２０は、流れスリーブ２８内でほぼ同心に配置された内部流れスリーブ２８および／または燃焼ライナ３０を備えることもできる。燃焼器組立体２０は、燃焼カン１２５と、燃焼カン１２５に接続された流れスリーブ２８または燃焼ライナ３０の少なくとも１つとを単一の事前組み立てされた構造として備えた単体の燃焼器組立体２０を備えることができ、または燃焼器組立体２０は、燃焼カン１２５、流れスリーブ２８、および燃焼ライナ３０全てが（燃焼吐出ケーシングまたは「ＣＤＣ：ｃｏｍｂｕｓｔｉｏｎ  ｄｉｓｃｈａｒｇｅ  ｃａｓｉｎｇ」と呼ばれる場合もある）タービンケーシング２４などのターボ機械１００に直接接続する組立体を備えることができる。例えば、流れスリーブ２８および燃焼ライナ３０は、その下流端において、インピンジメントスリーブ３２とインピンジメントスリーブ３２内に配設されたトランジションピース３４とを備える二重壁トランジションダクトまで延びることができる。いくつかの実施形態では、インピンジメントスリーブ３２および流れスリーブ２８は、それらの表面の一部を覆う複数の空気供給穴３６を備えることができ、それによって圧縮機セクション１２からの加圧空気が燃焼ライナ３０と流れスリーブ２８の間の径方向空間に入ることを許容することを理解されたい。
【００１９】
概して、燃焼器組立体２０の燃焼ライナ３０は、ほぼ円筒形の燃焼室３８を定めることができ、燃料および空気は、噴射されるとともに燃焼されて高温の燃焼ガスを発生させる。さらに、燃焼ライナ３０は、燃焼ライナ３０およびトランジションピース３４が各燃焼器組立体２０からタービン組立体１０のタービンセクション１６へ流れる高温の燃焼ガスの流路を概して定めるように、その下流端でトランジションピース３４に結合することができる。
【００２０】
いくつかの実施形態では、図３２に示されるもののように、トランジションピース３４は、シール４０（例えば、圧縮シール）を伴って燃焼ライナ３０の下流端に結合することができる。例えば、シール４０は、２つの構成要素間の境界をシールするためにトランジションピース３４および燃焼ライナ３０の重合端に配設することができる。例えば、シール４０は、嵌め合う部分の内径と外径の間に荷重がかけられるバネ／圧縮であるように構成された円周金属シールを備えることができる。しかしながら、燃焼ライナ３０とトランジションピース３４の間の境界は、圧縮シール４０でシールされる必要が無く、当業界で知られている任意の適切なシールによって全体的にシールすることができることを理解されたい。
【００２１】
いくつかの実施形態では、燃焼ライナ３０は、流れスリーブ２８に固定された、または流れスリーブ２８の無い燃焼器組立体２０では燃焼ケーシング２２に固定された１つまたは複数の雌型ライナストップ４４に係合する１つまたは複数の雄型ライナストップ４２を備えることもできる。詳細には、雄型ライナストップ４２は、燃焼ライナ３０の適切な設置深さを示すために、ならびにタービン組立体１０の運転中にライナ３０の回転を防ぐために、燃焼ライナ３０が燃焼器組立体２０内に設置されるときに雌型ライナストップ４４の中にスライドするようになされ得る。また、さらにまたは代替として、いくつかの実施形態では、雄型ライナストップ４２は、流れスリーブ２８または燃焼ケーシングに配設することができ、一方、雌型ライナストップ４４は、燃焼ライナ３０に配設することができることを理解されたい。
【００２２】
いくつかの実施形態では、まず、燃焼ライナ３０は、燃焼器組立体２０に押し込まれることによって燃焼器組立体２０内に設置することができる。例えば、燃焼ライナ３０は、力がトランジションピース３４の中へのさらなる設置深さを制限するまで燃焼器組立体２０に押し込むことができる。図２を続けて参照すると、次いで、燃焼カン１２５は、それぞれの各燃焼器組立体２０の中に設置することができる。具体的には、燃焼カン１２５は、そのエンドカバー組立体が燃焼器組立体２０のフランジ２６に当接するように配置、位置合わせ、および挿入することができる。
【００２３】
特定の実施形態を本明細書に示してきたが、ターボ機械１００となされた個々の接続に関して、燃焼器組立体２０は、様々な異なる順序で組み立てられる様々な異なる構成要素を備えることができることを理解されたい。例えば、燃焼器組立体２０は、ターボ機械１００（例えば、単体の燃焼器組立体２０）へ設置する前に完全に組み立てられてもよく、ターボ機械１００への設置前に一部組み立てられてもよく、ターボ機械１００に接続されている間に完全に組み立てられてもよく、またはそれの組み合わせである。
【００２４】
図４および図５をさらに参照すると、燃焼器組立体リフトシステム２００は、ターボ機械１００への燃焼器組立体２０の設置、除去、または再設置を助けるように与えることができる。具体的には、燃焼器組立体リフトシステム２００は、各構成要素に特定の適切な位置合わせを行いつつ、１つまたは複数の燃焼器組立体２０の設置および除去を可能にすることができる。燃焼器組立体リフトシステム２００は、燃焼器組立体２０が輸送用容器内にある間に燃焼器組立体２０を把持することを可能にすることによって連続的な設置および／または除去プロセスを可能にし、ターボ機械１００内で燃焼器組立体２０を適切な位置および位置合わせに移動し、複数の異なるリフト組立体間で燃焼器組立体２０を交換することを必要とせずにプロセス全体を逆にすることもできる。
【００２５】
概して、燃焼器組立体リフトシステム２００は、リフトアーム２２０と燃焼器組立体係合フレーム２４０とを備えることができる。リフトアーム２２０は、燃焼器組立体リフトシステム２００の持ち上げおよび移動の全体を容易にするのを助ける第２の部分２２４に接続された第１の部分２２２を備えることができる。また、第１の部分２２２および第２の部分２２４は、燃焼器組立体リフトシステム２００に一時的に固定された燃焼器組立体２０の再位置合わせを容易にするために、ある角度で接続することができ、または回転可能な接続によって接続することができる。燃焼器組立体係合フレーム２４０は、リフトアーム２２０に接続するとともに燃焼器組立体２０の少なくとも一部に一時的に固定されるように構成することができる。また、燃焼器組立体係合フレーム２４０は、ターボ機械１００の個々のスロットに関して１つまたは複数の燃焼器組立体２０の持ち上げ、搬送、回転、位置合わせ、設置および／または除去の全体を容易にするのを助けるように様々な構成で構成することができる。
【００２６】
図４〜図５をさらに参照すると、概して、リフトアーム２２０は、第２の部分２２４に接続された第１の部分２２２を少なくとも備えることができる。第１の部分２２２および第２の部分２２４は、燃焼器組立体２０が燃焼器組立体係合フレーム２４０に一時的に固定されたときを含めて、燃焼器組立体リフトシステム２００の持ち上げおよび移動の全体を容易にするために様々な潜在的な構成でおよび／または調整可能な角度で接続することができる。
【００２７】
それによって、リフトアーム２２０は、移動中に燃焼器組立体２０を支持するのに適した様々な構成および材料を備えることができる。いくつかの実施形態では、図４および図５に示されるもののように、リフトアームの第１の部分２２２は、リフトアーム２２０の第２の部分２２４に回転可能に接続することができる。回転可能な接続は、リフトアーム２２０の第１の部分２２２と第２の部分２２４の間の角度を変更するのを容易にする任意の接続を含むことができる。例えば、いくつかの実施形態では、回転可能な接続は、第１の部分２２２と第２の部分２２４の間のその相対回転を容易にするピン接続を備えることができる。さらにまたは代替として、そのような実施形態は、（燃焼器組立体２０を設置するとき等に）連続回転を防ぐために所与の角度で一時的に固定するためのボルト、ねじ、テンション装置、または任意の他の適切な機構を備えることができる。
【００２８】
いくつかの実施形態では、回転可能な接続は、第１の部分２２２および第２の部分２２４が間で調整できる限られた様々な事前設計されたスロット角度を備えることができる。例えば、燃焼器組立体２０は、ターボ機械１００を中心にして特定の燃焼器組立体２０の位置に基づいてそれらのそれぞれのスロットへ限られた数の角度のうちの１つで設置することができる。そのような実施形態では、リフトアーム２２０の第１の部分２２２と第２の部分２２４の間の回転可能な接続は、これらの潜在的な設置角度のうちの１つまたは複数を容易にする予め定められたポジションを含むことができる。そのような実施形態は、燃焼器組立体２０およびターボ機械１００のそのそれぞれのスロットの位置合わせを助けることによって燃焼器組立体２０のより速いおよび／またはより予測できる設置または除去を促進することができる。
【００２９】
それによって、リフトアーム２２０の第１の部分２２２と第２の部分２２４の間の回転接続は、（輸送用容器内に配設されるときに見られるような）ほとんど垂直向きと（ターボ機械１００への設置に必要とされるような）水平向きのより近くとの間で一時的に固定された燃焼器組立体２０を回転させるのを助けることができる。
【００３０】
さらに、リフトアーム２２０は、様々な構成において第１の部分２２２および第２の部分２２４を備えることができる。例えば、いくつかの実施形態では、第１の部分２２２および第２の部分２２４は、（図示されるような）それぞれの端部を中心にして互いに接続することができる。いくつかの実施形態では、それらの第１の部分２２２または第２の部分２２４の一端は、（例えば、他の部分の端部からずれた）端部でない位置で他の部分に接続することができる。いくつかの実施形態では、第１の部分２２２および第２の部分２２４は、ほぼ同様の長さをそれぞれ備えることができる。しかしながら、いくつかの実施形態では、第１の部分２２２または第２の部分２２４のいずれか一方は、他方よりも長くすることができる。例えば、燃焼器組立体係合フレーム２４０が、リフトアーム２２０の第２の部分２２４に接続される場合、第２の部分２２４は、第１の部分２２２よりも長いものであり得る。そのような実施形態は、燃焼器組立体２０がそこに一時的に固定されるとともに設置または除去のために移動されるとき、燃焼器組立体リフトシステム２００の荷重のバランスを保つのを助けることができる。
【００３１】
さらにいくつかの実施形態では、リフトアーム２２０は、燃焼器組立体２０を一時的に固定するまたは燃焼器組立体リフトシステム２００全体を移動させるために、調整可能なレベルをさらに増やし、および／または負荷に耐える位置を増やすように、さらなる部分を備えることができる。例えば、いくつかの実施形態では、リフトアーム２２０は、第２の部分２２４に接続された第３の部分を備えることができる。そのような実施形態では、第１の部分２２２、第２の部分２２４、および第３の部分は、それが単一の直線的な構成と蛇行した（例えば、屈曲した）構成との間で移行するように組み合わせることができるように順序通りに並べることができる。
【００３２】
いくつかの実施形態では、リフトアーム２２０は、第３の部分を備えることができ、第２の部分２２４と第３の部分の両方は、第１の部分２２２に接続される。例えば、第２の部分２２４および第３の部分は、第２の部分２２４と第３の部分の間の燃焼器組立体２０に接続するのを助けるために、Ｖ字構成における第１の部分２２２から離れるように分割される。さらにいくつかの実施形態では、第２の部分２２４および第３の部分は、第１の部分２２２の単位の端部の単一端に接続することができる。代替として、第１の部分２２２へのそれらのそれぞれの接続を伴って、第２の部分２２４および第３の部分は、互いからずれ得る。
【００３３】
リフトアーム２２０は、燃焼器組立体リフトシステム２００全体の持ち上げおよび移動を助ける１つまたは複数のピック箇所をさらに備えることができる。本明細書中に使用されるとき、ピック箇所は、鉤、リング、ハンドル、または他の同様のグラビングポイントを与えるように、燃焼器組立体リフトシステムの１つまたは複数の部品に取り付けられるまたはそれと一体の任意の特徴を備えることができる。それによって、ピック箇所は、チェーン２７０または他の外部のリフト機構を燃焼器組立体リフトシステム２００へ取り付けるために使用することができる。例えば、１つまたは複数のピック箇所は、チェーンが燃焼器組立体リフトシステム２００を持ち上げ移動させるのに使用されるときに、チェーン２７０の端部にある鉤が１つまたは複数のピック箇所を把持することができるようにリフトアーム２２０の一部にボルト留め、溶接、または突き刺されたリングを備えることができる。
【００３４】
ピック箇所は、リフトアーム２２０に沿った１つまたは複数の位置などの燃焼器組立体リフトシステム２００の周りの様々な位置に配設することができる。いくつかの実施形態では、リフトアーム２２０の第２の部分２２４は、図示のように、少なくとも１つの下側ピック箇所２２５を備えることができる。１つまたは複数の下側ピック箇所２２５は、設置前、固定された燃焼器組立体２０を輸送用容器から除去するとき、または除去後、固定された燃焼器組立体２０を輸送用容器の中に降ろすときなどに燃焼器組立体リフトシステム２００の垂直持ち上げを容易にするのを助けることができる。本明細書中に使用されるとき、輸送用容器は、ターボ機械１００の位置へまたはターボ機械１００の位置から輸送中に、燃焼器組立体２０を収容する任意の箱、クレートなどを指すことができる。実施形態では、リフトアーム２２０の第１の部分２２２および第２の部分２２４が互いに対して自由に回転することができるとき、第１の部分２２２が接続されている端部と反対にある第２の部分２２４の端部に配設された下側ピック箇所２２５によって単独でまたは大量に燃焼器組立体リフトシステム２００を持ち上げることは、リフトアーム２２０がより垂直に直線的向きを含むことを容易にすることができる。
【００３５】
いくつかの実施形態では、さらにまたは代替として、リフトアーム２２０の第１の部分２２２は、少なくとも１つの上側ピック箇所２２３を備えることができる。荷重は、上側ピック箇所２２３へ少なくとも一部変換することができ（すなわち、チェーン２７０は、下側ピック箇所２２５に取り付けられて荷重の一部を支えることができ）、それによって固定された燃焼器組立体２０の回転または位置合わせを容易にする。例えば、図５および図６に示されるように、一時的にそこに固定された燃焼器組立体２０を有する燃焼器組立体リフトシステム２００全体の荷重は、共有され２つ以上のピック箇所の間で伝達することができ、それによって単一の直線的構成と蛇行した（例えば、屈曲した）構成との間のリフトアームを移行する。これらの位置および中間の位置は、複数の異なる角度で燃焼器組立体２０を示すことによって燃焼器組立体２０とそれぞれの燃焼器組立体との間の上手くいった位置合わせを実現するのを助けることができる。
【００３６】
図４および図５をさらに参照すると、燃焼器組立体リフトシステム２００は、燃焼器組立体２０の少なくとも一部に一時的に固定されるように構成されるリフトアーム２２０に接続された燃焼器組立体係合フレーム２４０をさらに備える。
【００３７】
燃焼器組立体係合フレーム２４０は、燃焼器組立体２０へ一時的に固定するのを容易にするために様々な構成を備えることができる。例えば、いくつかの実施形態では、燃焼器組立体係合フレーム２４０は、一時的に燃焼器組立体２０へ固定するために、開いた状態と閉まった状態の間で移行することを可能にするクラムシェル構成をさらに備えることができる。より具体的には、そのような実施形態では、燃焼器組立体係合フレーム２４０は、燃焼器組立体２０の少なくとも一部を受け取るために、回転して開くように互いから離れるように、または代替として互いから完全に離れるように分離するように、少なくとも一部枢動することができる２つ以上の部分を備えることができる。次いで、燃焼器組立体係合フレーム２４０は、燃焼器組立体２０を一時的に固定するために、燃焼器組立体２０の周りで一緒に戻って閉じることができる。
【００３８】
いくつかの実施形態では、燃焼器組立体係合フレーム２４０は、１つまたは複数のボルトによって燃焼器組立体２０の少なくとも一部に一時的に固定されるように構成することができる。例えば、燃焼器組立体係合フレーム２４０は、燃焼器組立体２０にある対応する穴と位置合わせすることができる複数の穴を備えることができる。位置合わせすると、ボルト、ピンなどが、燃焼器組立体２０を燃焼器組立体係合フレーム２４０に一時的に固定するために、両セットの対応する穴を一時的に通過することができる。
【００３９】
燃焼器組立体係合フレーム２４０と燃焼器組立体２０の間の可能な一時的な固定構成を示すために燃焼器組立体係合フレーム２４０の特定の実施形態を本明細書に開示してきたが、これらは例示に過ぎず、限定していることは意図されないことを理解されたい。さらにまたは代替として、構成は、１つまたは複数の穴、ピック箇所などを利用することなどによって、燃焼器組立体２０を燃焼器組立体リフトシステム２００の燃焼器組立体係合フレーム２４０へ一時的に固定するのを容易にすることも理解することができる。
【００４０】
燃焼器組立体係合フレーム２４０は、ターボ機械１００の開いたスロットに対して前記燃焼器組立体２０の除去または設置などのための固定された燃焼器組立体２０の持ち上げおよび移動を容易にするように様々な構成でおよび様々な位置でリフトアーム２２０に接続することができる。例えば、いくつかの実施形態では、燃焼器組立体係合フレーム２４０は、燃焼器組立体係合フレーム２４０およびリフトアーム２２０が互いに対いて回転することができるようにリフトアーム２２０に対し回転可能な接続２３０を備えることができる。回転接続２３０は、ターボ機械１００における燃焼器組立体２０とそのそれぞれのスロットとの間の回転の向きを容易にするのを助けるために任意の１つまたは複数の軸を中心にして回転を可能にすることができる。回転接続２３０は、限定するものではないが、燃焼器組立体係合フレーム２４０をリフトアーム２２０に接続する回転可能なピン、ボルト、ねじ、またはボールとソケットなどの任意の適切な構成によって容易にすることができる。
【００４１】
いくつかの実施形態では、燃焼器組立体係合フレーム２４０がリフトアーム２２０（例えば、第１の部分２２２または第２の部分２２４のいずれか）に回転可能に接続されることに加えて、リフトアーム２２０の第１の部分２２２は、リフトアーム２２０の第２の部分２２４に回転可能に接続することができ、それによってリフトアーム２２０の第１の部分２２２、リフトアーム２２０の第２の部分２２４、および燃焼器組立体係合フレーム２４０は、垂直の構成と蛇行した（例えば、屈曲した）構成の間で全て移行することができる。
【００４２】
燃焼器組立体係合フレーム２４０は、様々な位置でリフトアーム２２０に接続することができる。例えば、リフトアーム２２０の第２の部分２２４が、リフトアーム２２０の第１の部分２２２に接続された第１の端部と、リフトアーム２２４の第１の部分２２２に遠位の第２の端部とを備えるとき、燃焼器組立体係合フレーム２４０は、（図４および図５に示されるように）リフトアーム２２０の第２の部分２２４の第２の端部に接続することができる。これらの実施形態のいくつかにおいて、リフトアーム２２０の第２の部分２２４の第２の端部（例えば、燃焼器組立体係合フレーム２４０が接続される第２の部分２２４の端部）は、少なくとも１つの下側ピック箇所２２５を備えることができる。
【００４３】
図６をさらに参照すると、ターボ機械１００に燃焼器組立体２０を設置する方法３００が示されている。概して、この方法は、ステップ３１０において、燃焼器組立体２０の近くに燃焼器組立体リフトシステム２００を配設することを含む。上述のように、燃焼器組立体リフトシステム２００は、第２の部分２２４に接続された第１の部分２２２と、燃焼器組立体２０の少なくとも一部に一時的に固定されるように構成されるリフトアーム２２０に接続された燃焼器組立体係合フレーム２４０とを備えるリフトアーム２２０を備えることができる。
【００４４】
いくつかの実施形態では、ステップ３１０における燃焼器組立体２０の近くに燃焼器組立体リフトシステム２００を配設することは、燃焼器組立体２０が輸送用容器内に配設されている間に、燃焼器組立体２０の上で垂直な位置合わせで燃焼器組立体リフトシステム２００を配設することを含む。そのような実施形態は、輸送用容器から燃焼器組立体２０を除去し、燃焼器組立体２０をターボ機械１００へ移動させ、最後に、ターボ機械１００へのそのそれぞれのスロットを用いた燃焼器組立体２０を位置合わせし設置するために、単一の燃焼器組立体リフトシステム２００を用いることを容易にすることができる。
【００４５】
方法３００は、ステップ３２０において、燃焼器組立体係合フレーム２４０を燃焼器組立体２０に一時的に固定することをさらに備えることができる。本明細書中に述べたように、燃焼器組立体係合フレーム２４０は、１つまたは複数のボルトを用いてあるいは任意の他の適切な固定システムを用いて、クラムシェル構成を備えた燃焼器組立体係合フレーム２４０の開閉などの様々な構成を用いて燃焼器組立体２０に一時的に固定することができる。
【００４６】
次いで、方法３００は、ステップ３２０において、燃焼器組立体２０をターボ機械１００と位置合わせし固定することを含むことができる。燃焼器組立体２０の位置合わせは、燃焼器組立体２０が任意の適切な手段によってそこに一時的に固定される間、燃焼器組立体リフトシステム２００全体を移動させることができる。例えば、いくつかの実施形態では、１つまたは複数のチェーンが、リフトアーム２２０上の１つまたは複数のピック箇所に接続することができる。いくつかの特定の実施形態では、第１のチェーン２７０は、垂直経路において輸送用容器から外へ燃焼器組立体２０を持ち上げるために下側ピック箇所２２５に接続することができる。続いて、さらなるチェーン２７０が、上側ピック箇所２２３に接続することができ、それによって荷重の伝達を助ける、および／またはターボ機械１００のその対応するスロットとより良く位置合わせするより水平な向きへ燃焼器組立体２０の回転を助ける。ターボ機械へ燃焼器組立体２０を固定することは、当業者なら理解できるはずであるような任意の適切な技法によって実現することもできる。例えば、燃焼器組立体２０は、１つまたは複数のボルト、クランプなどによって固定することができる。
【００４７】
最後に、方法３００は、ステップ３４０において、焼器組立体２０を燃焼器組立体係合フレーム２４０から外すことを含み得る。燃焼器組立体２０を外すことは、燃焼器組立体係合フレーム２４０の構成に（例えば、燃焼器組立体係合フレーム２４０の開放および／または燃焼器組立体係合フレーム２４０をボルト留めしないこと）基づいて、任意の適切な方法を含むことができる。
【００４８】
図７をさらに参照すると、ターボ機械から燃焼器組立体２０を除去する方法４００が示されている。概して、この方法は、ステップ４１０において、燃焼器組立体２０の近くに燃焼器組立体リフトシステム２００を配設することを含む。上述のように、燃焼器組立体リフトシステム２００は、第１の部分２２２を備えるとともに第２の部分２２４に接続されたリフトアーム２２０と、燃焼器組立体２０の少なくとも一部に一時的に固定されるように構成されるリフトアーム２２０に接続された燃焼器組立体係合フレーム２４０とを備えることができる。
【００４９】
方法４００は、ステップ４２０おいて、燃焼器組立体係合フレーム２４０を燃焼器組立体２０へ一時的に固定することをさらに含むことができる。本明細書中に述べたように、燃焼器組立体係合フレーム２４０は、１つまたは複数のボルトを用いてあるいは任意の他の適切な固定システムを用いて、クラムシェル構成を備えた燃焼器組立体係合フレーム２４０の開閉などの様々な構成を用いて燃焼器組立体２０に一時的に固定することができる。
【００５０】
最後に、方法４００は、ステップ４３０において、燃焼器組立体２０をターボ機械１００から外し、リフトアーム２２０への１つまたは複数の接続によってターボ機械１００から離れるように燃焼器組立体リフトシステム２００を移動させることをさらに含むことができる。ターボ機械から燃焼器組立体２０を外すことは、燃焼器組立体２０およびターボ機械のそれぞれの構成に基づいて任意の適切な手段によって実現することができる。例えば、いくつかの実施形態では、燃焼器組立体２０を外すことは、燃焼器組立体２０をターボ機械に接続する１つまたは複数のボルトを取り外すことを含むことができる。また、燃焼器組立体リフトシステム２００を移動することは、リフトアーム２２０上の１つまたは複数のピック箇所に接続された１つまたは複数のチェーン２７０などの任意の適切な手段によって実現することができる。
【００５１】
いくつかの実施形態では、方法４００は、燃焼器組立体２０がまだ燃焼器組立体係合フレーム２４０に一時的に固定されている間に燃焼器組立体リフトシステム２００をほぼ垂直向きへ移行することをさらに含むことができる。次いで、そのような実施形態は、燃焼器組立体２０を輸送用容器に下げ、燃焼器組立体２０を燃焼器組立体係合フレーム２４０から外すことをさらに含むことができる。設置の上述の方法３００と同様に、そのような除去する方法４００は、単一の燃焼器組立体リフトシステム２００を用いて、輸送用容器においてその続く交換とともにターボ機械１００内のそのスロットから燃焼器組立体２０を除去することをさらに容易にすることができる。
【００５２】
本明細書に開示されるような燃焼器組立体リフトシステムは、ターボ機械の中への燃焼器組立体の設置、除去、または再設置を助けることを与えることができることをここで理解されたい。そのような燃焼器組立体リフトシステムは、単一の燃焼器組立体リフトシステムによって連続的な設置および／または除去のプロセスを可能にしつつ、各燃焼器組立体に特有の適切な位置合わせを容易にすることができる。それによって、これらの燃焼器組立体リフトシステムおよび方法は、より簡単でおよびより速い全体の設置および除去活動を実現することができる。
【００５３】
限られた個数の実施形態のみに関連して本発明を詳細に説明してきたが、本発明はそのような開示した実施形態に限定されないと容易に理解されたい。むしろ、本発明は、以上に記載されていなくても本発明の精神および範囲に見合う任意の個数の変形例、代替例、置換例、または均等な構成を組み込むように修正することができる。さらに、本発明の様々な実施形態を説明してきたが、本発明の各態様は、説明した実施形態の一部だけを含んでもよいことを理解されたい。したがって、本発明は、前述の説明により限定されるとみなされるべきものではなく、添付の特許請求の範囲によってのみ限定される。
【符号の説明】
【００５４】
２０  燃焼器組立体
２２  燃焼ケーシング
２４  タービンケーシング
２６  フランジ
２７  後部側
２８  内部流れスリーブ
３０  燃焼ライナ
３２  インピンジメントスリーブ
３４  トランジションピース
３６  空気供給穴
３８  燃焼室
４０  シール
４２  雄型ライナストップ
４４  雌型ライナストップ
７２  フランジ穴
１００  ターボ機械
１０５  入口プレナム
１１０  圧縮機ケーシング
１１５  燃焼システム
１２０  タービンセクション
１２５  燃焼カン
１３０  補助システム
２００  燃焼器組立体リフトシステム
２２０  リフトアーム
２２２  第１の部分
２２３  上側ピック箇所
２２４  第２の部分
２２５  下側ピック箇所
２３０  回転接続
２４０  燃焼器組立体係合フレーム
２４２  基部
２４４  アーム部
２７０  チェーン
３００  設置する方法
３１０  ステップ
３２０  ステップ
３３０  ステップ
３４０  ステップ
４００  除去する方法
４１０  ステップ
４２０  ステップ
４３０  ステップ
Ａ  軸
【図１】
2017106447.tif 000003
【図２】
2017106447.tif 000004
【図３】
2017106447.tif 000005
【図４】
2017106447.tif 000006
【図５】
2017106447.tif 000007
【図６】
2017106447.tif 000008
【図７】
2017106447.tif 000009
【外国語明細書】
2017106447000001.pdf